(57)【要約】【課題】不正行為を阻止するための中扉を設けた構成であっても、遊技機器を筐体内から簡単に取出すことができるようにして、遊技機器の再利用を可能にする。【解決手段】中扉１４におけるシリンダ錠１６及び蝶番１５の周りに、他の部分と比べて破壊し易いシリンダ錠周辺脆弱部１４ａ及び蝶番周辺脆弱部１４ｂをそれぞれ設け、シリンダ錠周辺脆弱部１４ａ及び蝶番周辺脆弱部１４ｂを破壊することによって、シリンダ錠１６が固定されたシリンダ錠固定断片部１４１及び蝶番１５が固定された蝶番固定断片部１４２と、それ以外の部分とに分離して、筐体２の前面を開放可能とする。【選択図】  図２
2008132106.tif 000002
【特許請求の範囲】
【請求項１】
前面が開口し、かつ内部に遊技機器を収容した筐体と、前記筐体の前面に設けられる前扉と、前記前扉の内側にあって、前記筐体の前面開口の一部または全部を閉塞し得るように前記筐体に支持される中扉を備え、前記中扉は、一側部に設けられた蝶番により前記筐体に回動自在に支持され、他端部に設けられたシリンダ錠により閉塞状態に拘束されるようにした遊技機において、
前記中扉における前記シリンダ錠の周りに、他の部分と比べて破壊し易いシリンダ錠周辺脆弱部を設け、前記シリンダ錠周辺脆弱部を破壊することによって、前記中扉における前記シリンダ錠が固定されたシリンダ錠固定断片部と、それ以外の部分とに分離して、前記筐体の前面を開放可能としたことを特徴とする遊技機。
【請求項２】
前面が開口し、かつ内部に遊技機器を収容した筐体と、前記筐体の前面に設けられる前扉と、前記前扉の内側にあって、前記筐体の前面開口の一部または全部を閉塞し得るように前記筐体に支持される中扉を備え、前記中扉は、一側部に設けられた蝶番により前記筐体に回動自在に支持され、他端部に設けられたシリンダ錠により閉塞状態に拘束されるようにした遊技機において、
前記中扉における前記シリンダ錠及び前記蝶番の周りに、他の部分と比べて破壊し易いシリンダ錠周辺脆弱部及び蝶番周辺脆弱部をそれぞれ設け、前記シリンダ錠周辺脆弱部及び前記蝶番周辺脆弱部を破壊することによって、前記シリンダ錠が固定されたシリンダ錠固定断片部及び前記蝶番が固定された蝶番固定断片部と、それ以外の部分とに分離して、前記筐体の前面を開放可能としたことを特徴とする遊技機。
【請求項３】
前記シリンダ錠周辺脆弱部及び／または前記蝶番周辺脆弱部を、ミシン目状に切欠口を連続して設けたもの、または溝としたことを特徴とする請求項１または２記載の遊技機。
【発明の詳細な説明】
【技術分野】
【０００１】
本発明は、筐体内に各種遊技機器を収容した遊技機に関する。
【背景技術】
【０００２】
従来、スロットマシン等の遊技機においては、各種遊技機器、例えば、遊技を統括的に制御する制御基板、遊技結果に応じてメダル等の遊技媒体を排出するホッパ装置及び遊技媒体の払出率を変更する確率変更設定スイッチ等を収容した筐体と、筐体の前面に開閉可能に設けられる前扉とを備えている。さらに、前扉の内側で、かつ筐体の前面には、筐体の前面開口を開閉可能な透明な板材で形成される中扉が設けられている。
【０００３】
中扉は、各種遊技機器が不正操作者により不正に操作されることを阻止するためのもので、一側部が蝶番により筐体に回動自在に枢支され、他端部がシリンダ錠の係合部材が筐体の一部に係合することによって、筐体の前面開口を閉塞するように拘束される。そして、中扉専用の鍵を使用して、シリンダ錠を操作しない限り、中扉を開けられないようになっている。（例えば、特許文献１参照）。
【特許文献１】特開２００３−１１７０５５号公報
【発明の開示】
【発明が解決しようとする課題】
【０００４】
上記特許文献１に記載された遊技機においては、シリンダ錠が遊技店側で任意に設定できる暗号コード可変式シリンダ等が採用されている場合、その遊技店に係わる者以外では、シリンダ錠を解錠して中扉を開けることはできない。そのため、遊技機メーカが遊技機を引き取って、筐体内に収容された各種遊技機器を再利用しようとしても、各種遊技機器を筐体内から取出すことができず、再利用できないという問題点がある。
【０００５】
本発明は、上述のような従来の課題に鑑み、不正行為を阻止するための中扉を設けた構成であっても、遊技機器を筐体内から簡単に取出すことができるようにして、遊技機器の再利用を可能にした遊技機を提供することを目的とする。
【課題を解決するための手段】
【０００６】
本発明によると、上記課題は、次のようにして解決される。
（１）前面が開口し、かつ内部に遊技機器を収容した筐体と、前記筐体の前面に設けられる前扉と、前記前扉の内側にあって、前記筐体の前面開口の一部または全部を閉塞し得るように前記筐体に支持される中扉を備え、前記中扉は、一側部に設けられた蝶番により前記筐体に回動自在に支持され、他端部に設けられたシリンダ錠により閉塞状態に拘束されるようにした遊技機において、前記中扉における前記シリンダ錠の周りに、他の部分と比べて破壊し易いシリンダ錠周辺脆弱部を設け、前記シリンダ錠周辺脆弱部を破壊することによって、前記中扉における前記シリンダ錠が固定されたシリンダ錠固定断片部と、それ以外の部分とに分離して、前記筐体の前面を開放可能とする。
【０００７】
（２）前面が開口し、かつ内部に遊技機器を収容した筐体と、前記筐体の前面に設けられる前扉と、前記前扉の内側にあって、前記筐体の前面開口の一部または全部を閉塞し得るように前記筐体に支持される中扉を備え、前記中扉は、一側部に設けられた蝶番により前記筐体に回動自在に支持され、他端部に設けられたシリンダ錠により閉塞状態に拘束されるようにした遊技機において、前記中扉における前記シリンダ錠及び前記蝶番の周りに、他の部分と比べて破壊し易いシリンダ錠周辺脆弱部及び蝶番周辺脆弱部をそれぞれ設け、前記シリンダ錠周辺脆弱部及び前記蝶番周辺脆弱部を破壊することによって、前記シリンダ錠が固定されたシリンダ錠固定断片部及び前記蝶番が固定された蝶番固定断片部と、それ以外の部分とに分離して、前記筐体の前面を開放可能とする。
【０００８】
（３）上記(１)または(２)項において、前記シリンダ錠周辺脆弱部及び／または前記蝶番周辺脆弱部を、ミシン目状に切欠口を連続して設けたもの、または溝とする。
【発明の効果】
【０００９】
本発明によれば、次のような効果が奏せられる。
請求項１記載の発明によると、中扉に設けたシリンダ錠周辺脆弱部を破壊することによって、シリンダ錠固定断片部と、それ以外の部分とに分離できるため、中扉を開放して、筐体内に設けられた遊技機器を簡単に取り出すことができる。
【００１０】
請求項２記載の発明によると、中扉に設けたシリンダ錠周辺脆弱部及び蝶番周辺脆弱部を破壊することによって、シリンダ錠固定断片部及び蝶番固定断片部と、それ以外の部分とに分離できるため、中扉を筐体から取り外して、筐体内に設けられた遊技機器を簡単に取り出すことができる。
【００１１】
請求項３記載の発明によると、中扉にシリンダ錠周辺脆弱部及び／または蝶番周辺脆弱を簡単に形成することができる。
【発明を実施するための最良の形態】
【００１２】
以下、本発明の一実施形態を、図面に基づいて説明する。図１は、本発明の一実施形態を適用した遊技機の斜視図を示す。なお、以下の説明においては、図１における左斜め下方を「前方」とし、右斜め上方を「後方」とし、左斜め上方を「左方」とし、右斜め下方を「右方」とする。
【００１３】
遊技機１としてのスロットマシンは、前面が開口した正面視矩形の筐体２と、筐体２の左側部に上下方向を向く上下１対の蝶番（図示略）により開閉可能に枢支された前扉３とを備える。
【００１４】
筐体２内には、遊技機器をなす、遊技を統括的に制御する主制御基板４、遊技に係わる演出情報等を出力可能な副制御基板５、複数種類の図柄、数字等で構成される識別情報を変動表示及び停止表示可能な左、中、右の３個の回転リール６、遊技媒体であるメダルを貯留及び払出可能なホッパ装置７及び遊技機１の各種電気部品に電力を供給する電源装置８等の遊技機器が収容されている。電源装置８の操作面には、メダルの払出率を変更する確率変更設定スイッチ８１が設けられている。
【００１５】
なお、主制御基板４及び回転リール６は、筐体２内を上下に仕切る仕切板１７よりも上方に配置され、また、ホッパ装置７及び電源装置８は、仕切板１７よりも下方に配置される。
【００１６】
図１に示すように、前扉３の前面には、各回転リール６の識別情報を３こまずつ透視可能な識別情報表示窓３１が設けられ、また、識別情報表示窓３１の下方には、遊技を開始するときにメダルが投入されるメダル投入部１０、メダルの賭数を設定するベットスイッチボタン１１、全ての回転リール６を一斉に回転させるときに操作されるスタートスイッチレバー１２、各回転リール６の回転を個別に停止させるときに操作される３個のストップスイッチボタン１３等が設けられている。
【００１７】
遊技を開始する場合には、遊技者がメダルをメダル投入部１０に投入して、ベットスイッチボタン１１を操作して遊技の賭数を設定した後、スタートスイッチレバー１２を操作する。これにより、各回転リール６が一斉に回転し、所定時間経過後に各回転リール６に対応する各ストップボタン１３を順次操作して、各回転リール６を停止させる。
【００１８】
各回転リール６が停止したときの、識別情報表示窓３１内の有効ライン上に並ぶ左、中、右の識別情報の組み合わせにより、入賞の有無、及び賞の大小が決定され、入賞態様に応じた数のメダルがホッパ装置７から前扉３の下部に設けられた受皿３２に払い出される。
【００１９】
図２に示すように、前扉３の内側で、かつ筐体２の前面には、筐体２の前面開口の全部を開閉可能な透明な板材で形成された中扉１４が設けられている。中扉１４は、左側部が上下の蝶番１５により回動自在に枢支されるとともに、右側部の上下中央部には、シリンダ錠１６が固定されている。
【００２０】
中扉１４は、シリンダ錠１６の操作に連動する係合部材（図示略）が筐体２に設けられたストライカ（図示略）に係合することによって、筐体２の前面開口を閉塞するように拘束される。閉塞状態においては、中扉１４が、筐体２内に収容された主制御基板４、回転リール６、ホッパ装置７及び電源装置８を遮蔽し、不正操作者による不正具の筐体２内への侵入を阻止して、遊技機器の不正な操作を阻止する。
【００２１】
筐体２内の遊技機器の検査、修理、交換等を必要とする場合には、中扉１４のシリンダ錠１６を、専用の鍵を用いて解錠操作して、係合部材とストライカとの係合を解除して、中扉１４を開放する。
【００２２】
中扉１４におけるシリンダ錠１６が固定された部分の周り及び上下の蝶番１５が固定された部分の周りには、他の部分に比べて破壊し易いシリンダ錠周辺脆弱部１４ａ及び蝶番周辺脆弱部１４ｂがそれぞれ設けられている。
【００２３】
シリンダ錠周辺脆弱部１４ａ及び蝶番周辺脆弱部１４ｂは、ミシン目状に切欠口を連続して設けたもの、または溝としたもので形成される。
【００２４】
中扉１４が閉塞状態に拘束された状態で、各脆弱部１４ａ、１４ｂを工具等で破壊することによって、シリンダ錠１６が固定されたシリンダ錠固定断片部１４１及び上下の蝶番１５が固定された蝶番固定断片部１４２、１４２と、それ以外の部分とに分離して、中扉１４を筐体２から簡単に取り外すことができる。したがって、遊技機メーカが遊技機１を遊技店から回収した場合、中扉１４がシリンダ錠１６により施錠されていても、各脆弱部１４ａ、１４ｂを破壊することによって、各種遊技機器を筐体２内から取り出して、各種遊技機器の再利用を行うことができる。
【００２５】
また、不正に各脆弱部１４ａ、１４ｂが破壊された場合には、中扉１４に破壊の痕跡が残るため、不正行為を即座に発見することができる。
【００２６】
以上、本発明の一実施形態について説明したが、本発明の要旨を逸脱しない範囲内で、本実施形態に対して、次のような種々の変形や変更を施すことが可能である。
（ｉ）遊技機１を、遊技媒体がメダル（コインを含む）とするスロットマシンに代えて、遊技媒体がパチンコ玉であるスロットマシンとする。
（ii）中扉１４における蝶番１６の周りに設けられる蝶番周辺脆弱部１４ｂを省略する。この場合には、シリンダ錠周辺脆弱部１４ａのみを破壊することによって、シリンダ錠固定断片部１４１と、他の部分とに分離して、中扉１４を上下の蝶番１５を支点にして開放動作させることができる。これにより、中扉１４を開放して、筐体２の前面開口を開放して、筐体２内の各種遊技機器を取り出すことができる。
（iii）中扉１４を、仕切板１７を境にして、筐体２の前面開口の上半分または下半分を閉塞し得る大きさのものとする。筐体２の前面開口の上半分を閉塞した場合には、主制御基板４及び回転リール６の不正操作を防止することができ、また、下半分を閉塞した場合には、ホッパ装置７及び電源装置８の不正操作を防止することができる。また、全ての遊技機器を、仕切板１７の上方または下方に配置した場合には、中扉１４を、筐体２の前面開口の上半分または下半分を閉塞し得る大きさとしても、全ての遊技機器の不正操作を阻止することができる。
【図面の簡単な説明】
【００２７】
【図１】本発明の一実施形態を適用した遊技機の斜視図である。
【図２】前扉を開けた状態の遊技機の斜視図である。
【図３】前扉を取り外した状態の遊技機の正面図である。
【符号の説明】
【００２８】
１  遊技機
２  筐体
３  前扉
４  主制御基板
５  副制御基板
６  回転リール
７  ホッパ装置
８  電源装置
１０  メダル投入部
１１  ベットスイッチボタン
１２  スタートスイッチレバー
１３  ストップスイッチボタン
１４  中扉
１４ａ  シリンダ錠周辺脆弱部
１４ｂ  蝶番周辺脆弱部
１５  蝶番
１６  シリンダ錠
１７  仕切板
３１  識別情報表示窓
３２  受皿
８１  確率変更設定スイッチ
１４１  シリンダ錠固定断片部
１４２  蝶番固定断片部
【図１】
2008132106.tif 000003
【図２】
2008132106.tif 000004
【図３】
2008132106.tif 000005